(57)【要約】【課題】より柔軟にユーザーの入力に対する利便性を向上させることのできるプログラム及び入力様式設定方法を提供する。【解決手段】プログラムは、コンピューターを、予め定められる入力項目の入力フィールドに記入がなされる入力様式に対して追記された追記部分に係る情報に基づいて、入力様式に対して新たな入力項目についての追加設定を行う追加設定手段、として機能させる。【選択図】図６
2020095473.tif 000002
【特許請求の範囲】
【請求項１】
コンピューターを、
予め定められる入力項目の入力フィールドに記入がなされる入力様式に対して追記された追記部分に係る情報に基づいて、前記入力様式に対して新たな入力項目についての追加設定を行う追加設定手段
として機能させることを特徴とするプログラム。
【請求項２】
前記コンピューターを、前記追記部分が追記される前後のデータを比較して差異を検出する検出手段として機能させることを特徴とする請求項１記載のプログラム。
【請求項３】
前記コンピューターを、前記追記部分が追記される前後のデータの差異の出現箇所を特定する位置特定手段として機能させ、
前記追加設定手段は、前記入力様式により定まる入力エリアを複数に区分した各ブロックでの前記差異の出現頻度を取得し、当該出現頻度に基づいて前記追加設定を行うか否かを決定する
ことを特徴とする請求項１又は２記載のプログラム。
【請求項４】
前記追加設定手段は、前記出現頻度に応じて入力フィールドの追加位置を定めることを特徴とする請求項３記載のプログラム。
【請求項５】
前記追加設定手段は、前記追記部分の大きさに応じたサイズの入力フィールドを追加することを特徴とする請求項１〜４のいずれか一項に記載のプログラム。
【請求項６】
前記追加設定手段は、前記追記部分の内容に応じて追加される入力フィールドを含む入力項目のラベルを定めることを特徴とする請求項１〜５のいずれか一項に記載のプログラム。
【請求項７】
前記追加設定手段は、前記追記部分の内容が文字のみである場合に、前記入力フィールドの行幅を当該文字の数に応じて定めることを特徴とする請求項６記載のプログラム。
【請求項８】
前記追加設定手段は、前記追記部分の内容を示す文字列の文字数に応じて前記入力フィールドのサイズを決定することを特徴とする請求項６又は７記載のプログラム。
【請求項９】
前記追加設定は、既存の入力フィールドに対する入力内容の選択肢の追加を含み、
前記追加設定手段は、前記追記部分の内容に応じて追加される前記選択肢の内容を定めることを特徴とする請求項１〜８のいずれか一項に記載のプログラム。
【請求項１０】
前記追加設定手段は、前記入力様式の用途に応じた分野に係る用語リストに基づいて前記追記部分の内容をグループ化して、一つのグループに対して複数の内容が対応付けられた場合に、当該複数の内容を前記選択肢に含む前記新たな入力項目を追加設定する
ことを特徴とする請求項９記載のプログラム。
【請求項１１】
前記コンピューターを、
前記追記部分が追記される前後のデータを比較して差異を検出する検出手段、
前記差異の内容を判別する画像判別手段、
として機能させることを特徴とする請求項５〜１０のいずれか一項に記載のプログラム。
【請求項１２】
前記コンピューターを、前記入力様式により定まる入力エリアから、前記追記部分の検出を行わない検出除外部分を設定する第１の除外設定手段として機能させることを特徴とする請求項１〜１１のいずれか一項に記載のプログラム。
【請求項１３】
前記コンピューターを、前記入力様式により定まる入力エリアから、前記追加設定を行わない設定除外部分を設定する第２の除外設定手段として機能させることを特徴とする請求項１〜１２のいずれか一項に記載のプログラム。
【請求項１４】
前記コンピューターを、前記追記部分の内容と既存の入力項目への入力内容との相関関係を算出する相関算出手段として機能させ、
前記追加設定手段は、前記入力様式に対する入力を電子的に受け付ける場合に、前記追記部分に対して所定の基準以上の相関が得られた入力内容の入力有無に応じて前記追記部分に応じた前記追加設定の有無を切り替えるように前記入力様式を設定する
ことを特徴とする請求項１〜１３のいずれか一項に記載のプログラム。
【請求項１５】
予め定められる入力項目の入力フィールドに記入がなされる入力様式に対して追記された追記部分に係る情報に基づいて、前記入力様式に対して新たな入力項目についての追加設定を行う追加設定ステップ
を含むことを特徴とする入力様式設定方法。
【発明の詳細な説明】
【技術分野】
【０００１】
この発明は、プログラム及び入力様式設定方法に関する。
【背景技術】
【０００２】
予め定められた入力項目についての入力フィールドへの入力を受け付けて、必要な情報を得るための入力様式（入力フォーム）が広く用いられている。定められた入力様式に従って入力、記載していくことで、入力者が要領よく入力が可能となり、また、情報の利用者は、所望の項目についての情報を効率よく取得し、利用することができる。
【０００３】
この入力様式には、初めから各入力項目の配置及び入力範囲のレイアウトが定められて、表示、入力されたとおりの配置で出力されるものがある。このような場合、同一用途であっても、繰り返し利用する特定の入力者や、入力様式の利用状況などによっては、画一的な様式では、頻繁に使われる必要な項目が不便な場所にあったり、範囲が狭すぎたりするというような状況が発生し、かえって効率が悪い場合がある。
【０００４】
例えば、画像形成装置の表示画面において、画像形成に係る各種設定などを受け付ける設定入力様式を表示する際に、ユーザーによる各種設定項目の利用頻度などに基づいて適宜な設定項目を優先させ、また、適切にグループ分けしながらレイアウトを調整（カスタマイズ）することで、ユーザーの利便性を向上させる技術がある（特許文献１、２）。
【先行技術文献】
【特許文献】
【０００５】
【特許文献１】特開２０１４−２１３４５９号公報
【特許文献２】特開２０１８−８５００７号公報
【発明の概要】
【発明が解決しようとする課題】
【０００６】
しかしながら、従来の入力様式のカスタマイズは、予め設定されたメニューの中での表示の優先順や位置の変更に留まるものである。したがって、当初の想定から外れた内容や分量の入力が多くなされているような場合に対応して柔軟に入力様式を変更し、ユーザーの利便性を向上させることができないという課題があった。
【０００７】
この発明の目的は、より柔軟にユーザーの入力に対する利便性を向上させることのできるプログラム及び入力様式設定方法を提供することにある。
【課題を解決するための手段】
【０００８】
上記目的を達成するため、請求項１記載の発明は、
コンピューターを、
予め定められる入力項目の入力フィールドに記入がなされる入力様式に対して追記された追記部分に係る情報に基づいて、前記入力様式に対して新たな入力項目についての追加設定を行う追加設定手段
として機能させることを特徴とするプログラムである。
【０００９】
また、請求項２記載の発明は、請求項１記載のプログラムにおいて、
前記コンピューターを、前記追記部分が追記される前後のデータを比較して差異を検出する検出手段として機能させることを特徴とする。
【００１０】
また、請求項３記載の発明は、請求項１又は２記載のプログラムにおいて、
前記コンピューターを、前記追記部分が追記される前後のデータの差異の出現箇所を特定する位置特定手段として機能させ、
前記追加設定手段は、前記入力様式により定まる入力エリアを複数に区分した各ブロックでの前記差異の出現頻度を取得し、当該出現頻度に基づいて前記追加設定を行うか否かを決定する
ことを特徴とする。
【００１１】
また、請求項４記載の発明は、請求項３記載のプログラムにおいて、
前記追加設定手段は、前記出現頻度に応じて入力フィールドの追加位置を定めることを特徴とする。
【００１２】
また、請求項５記載の発明は、請求項１〜４のいずれか一項に記載のプログラムにおいて、
前記追加設定手段は、前記追記部分の大きさに応じたサイズの入力フィールドを追加することを特徴とする。
【００１３】
また、請求項６記載の発明は、請求項１〜５のいずれか一項に記載のプログラムにおいて、
前記追加設定手段は、前記追記部分の内容に応じて追加される入力フィールドを含む入力項目のラベルを定めることを特徴とする。
【００１４】
また、請求項７記載の発明は、請求項６記載のプログラムにおいて、
前記追加設定手段は、前記追記部分の内容が文字のみである場合に、前記入力フィールドの行幅を当該文字の数に応じて定めることを特徴とする。
【００１５】
また、請求項８記載の発明は、請求項６又は７記載のプログラムにおいて、
前記追加設定手段は、前記追記部分の内容を示す文字列の文字数に応じて前記入力フィールドのサイズを決定することを特徴とする。
【００１６】
また、請求項９記載の発明は、請求項１〜８のいずれか一項に記載のプログラムにおいて、
前記追加設定は、既存の入力フィールドに対する入力内容の選択肢の追加を含み、
前記追加設定手段は、前記追記部分の内容に応じて追加される前記選択肢の内容を定めることを特徴とする。
【００１７】
また、請求項１０記載の発明は、請求項９記載のプログラムにおいて、
前記追加設定手段は、前記入力様式の用途に応じた分野に係る用語リストに基づいて前記追記部分の内容をグループ化して、一つのグループに対して複数の内容が対応付けられた場合に、当該複数の内容を前記選択肢に含む前記新たな入力項目を追加設定する
ことを特徴とする。
【００１８】
また、請求項１１記載の発明は、請求項５〜１０のいずれか一項に記載のプログラムにおいて、
前記コンピューターを、
前記追記部分が追記される前後のデータを比較して差異を検出する検出手段、
前記差異の内容を判別する画像判別手段、
として機能させることを特徴とする。
【００１９】
また、請求項１２記載の発明は、請求項１〜１１のいずれか一項に記載のプログラムにおいて、
前記コンピューターを、前記入力様式により定まる入力エリアから、前記追記部分の検出を行わない検出除外部分を設定する第１の除外設定手段として機能させることを特徴とする。
【００２０】
また、請求項１３記載の発明は、請求項１〜１２のいずれか一項に記載のプログラムにおいて、
前記コンピューターを、前記入力様式により定まる入力エリアから、前記追加設定を行わない設定除外部分を設定する第２の除外設定手段として機能させることを特徴とする。
【００２１】
また、請求項１４記載の発明は、請求項１〜１３のいずれか一項に記載のプログラムにおいて、
前記コンピューターを、前記追記部分の内容と既存の入力項目への入力内容との相関関係を算出する相関算出手段として機能させ、
前記追加設定手段は、前記入力様式に対する入力を電子的に受け付ける場合に、前記追記部分に対して所定の基準以上の相関が得られた入力内容の入力有無に応じて前記追記部分に応じた前記追加設定の有無を切り替えるように前記入力様式を設定する
ことを特徴とする。
【００２２】
また、請求項１５記載の発明は、
予め定められる入力項目の入力フィールドに記入がなされる入力様式に対して追記された追記部分に係る情報に基づいて、前記入力様式に対して新たな入力項目についての追加設定を行う追加設定ステップ
を含むことを特徴とする入力様式設定方法である。
【発明の効果】
【００２３】
本発明に従うと、より柔軟にユーザーの入力に対する利便性を向上させることのできる入力様式を設定することができるという効果がある。
【図面の簡単な説明】
【００２４】
【図１】処理装置の機能構成を示すブロック図である。
【図２】入力様式の例を示す図である。
【図３】回送後の伝票の例を示す図である。
【図４】回送前後の伝票の比較処理について説明する図である。
【図５】入力様式の追加設定の例を示す図である。
【図６】処理装置で実行される入力様式設定処理の制御手順を示すフローチャートである。
【図７】入力様式設定処理の変形例の制御手順を示すフローチャートである。
【図８】動的に入力様式が変更される場合の入力受付処理の制御手順を示すフローチャートである。
【発明を実施するための形態】
【００２５】
以下、本発明の実施の形態を図面に基づいて説明する。
図１は、本実施形態の入力様式設定方法を用いた処理を行う処理装置１の機能構成を示すブロック図である。
【００２６】
処理装置１は、通常のコンピューター（Personal Computer）であってよく、制御部１１と、記憶部１２と、通信部１３と、操作受付部１４と、表示部１５などを備える。
【００２７】
制御部１１は、例えば、ＣＰＵ（Central Processing Unit）やＲＡＭ（Random Access Memory）などを備え、ＲＡＭに一時記憶されたデータに基づいてＣＰＵが演算処理を行い、処理装置１の各種動作を統括制御する。
【００２８】
記憶部１２は、不揮発性メモリーやＨＤＤ（Hard Disk Drive）などの補助記憶装置を有し、設定データ、及びプログラム１２１などを記憶する。設定データには、現在設定されている入力様式データ１２２が含まれる。プログラム１２１には、入力様式の生成プログラムと、設定されている入力様式データ１２２に基づく入力受付プログラムと、入力されたデータに基づく入力様式設定処理プログラムなどが含まれる。記憶部１２は、データベース１２３を有する。データベース１２３には、入力様式を用いて作成された過去の出力データ（ここでは伝票のデータ）、出力伝票の回送後の最終データ、及び入力様式の対象分野（用途に応じた分野）における用語のリストなどが記憶保持されている。
【００２９】
通信部１３は、外部機器とのデータ通信を所定の通信規格に従って制御する。データ通信としては、例えば、ＬＡＮ（Local Area Network）による通信が含まれ、通信規格としては、例えば、ＴＣＰ／ＩＰ（Transmission Control Protocol / Internet Protocol）などが含まれる。ここでは、通信部１３は、ハブやルーターなどを介してスキャナー６０、外部端末７０及び画像形成装置８０（プリンター）と接続されている。
【００３０】
スキャナー６０は、セットされた媒体の表面を光学的に読み取って画像データを生成する。外部端末７０は、他のコンピューターなどであり、例えば、処理装置１にリモートアクセスして入力受付プログラムを実行したり、あるいは、入力受付プログラムにより作成された書類を受信して追記、承認などの処理を行い、次の担当者宛に送信したりする。画像形成装置８０は、取得した画像データに応じた画像を記録媒体上に形成（印刷）する。なお、処理装置１は、スキャナー６０の読み取り機能と画像形成装置８０の画像形成機能とをいずれも有する複合機と接続されてもよい。
【００３１】
操作受付部１４は、ユーザーなどの外部からの入力操作を受け付けて、受け付けた内容に応じた制御信号を制御部１１に出力する。操作受付部１４は、例えば、マウス、キーボード、及びタッチパネルとして用いられるタッチセンサーなどを有する。操作受付部１４は、その他押しボタンスイッチ及び／又は回転スイッチなどを有していてもよい。
【００３２】
表示部１５は、制御部１１の指示に従って各種ステータスやメニューなどを表示する。表示部１５は、例えば、液晶ディスプレイ（ＬＣＤ）や有機ＥＬ（Electro-Luminescent）ディスプレイなどの表示画面を有する。操作受付部１４がタッチパネルを有する場合には、この表示画面がタッチセンサーと重ねて設けられる。また、表示部１５は、ＬＥＤランプ及び／又はインディケーターなどを有していてもよい。
【００３３】
次に、本実施形態の入力受付プログラムで受け付けられる入力様式について説明する。
図２は、設定されている入力様式２０の例を示す図である。
【００３４】
この入力様式２０は、印刷会社で用いられる伝票の一例である。入力様式２０では、複数の入力項目Ｅが予め定められた各位置に表示される。各入力項目Ｅでは、ラベル欄Ｌ（タイトル）と入力フィールドＩとが並んで配列されている。入力フィールドＩの一部又は全部には、予め入力値（数値に限るものではなく、登録される入力内容全般を指す）の候補（選択肢）が定められていて、プルダウンメニューなどから選択することで入力フィールドＩへの入力が可能とされてもよい。あるいは、伝票作成者がラベルに基づいて入力フィールドＩへのテキストの入力を行ってもよい。また、ラジオボタンが設けられていずれかが選択される入力項目があってもよいし、デートピッカーから日付（年月日など）を選択可能であってもよい。入力様式２０のエリア下部には、３つの自由記載欄Ｆ１１〜Ｆ１３が設けられている。右上の余白スペースＡは、担当者、監督者や検査者などによるサインなどに用いられる所定の使用欄である。
【００３５】
このような入力様式２０は、処理装置１において生成プログラムが実行されて、ユーザーの入力操作などに応じて定められた入力項目に基づいて、自動で、又は当該ユーザーの手動により設定されたサイズの伝票エリア内に配置されて生成される（生成手段、生成ステップ）。ここでいう生成とは、入力様式２０を一から全て生成するものに限られず、予め設定されている入力様式２０を編集することにより新たな入力様式２０を設定する場合を含む。
【００３６】
ユーザーである伝票作成者は、入力受付プログラムを起動することでこの入力様式２０を表示部１５や外部端末７０の表示部に表示させる。ユーザーは、操作受付部１４を介してこの表示画面の各入力フィールドＩに必要事項を入力する操作を行う。また、ユーザーは、画像形成装置８０に送信してこの伝票の画像形成を行わせたり、入力値の登録動作を行わせたりする（入力値が全くない場合に、入力がない伝票データの登録がなされてもよい）。登録された内容を含む伝票データ（記入データ）は、そのまま保持される。画像形成が行われる場合でも、得られた伝票データ（記入データ）は、記憶部１２のデータベース１２３に別途記憶保持される。また、伝票が形成された記録媒体が改めてスキャナー６０により読み込まれて伝票データとして保持される場合も含まれる。これら、タイトル、枠線及びラベルなどの入力様式のベース部分及び入力フィールドＩへの定型的な入力値（上述のように、入力値が全くなくてもよい）が後述の入力様式に対する追記部分に含まれない内容である。伝票作成者が自由記載欄Ｆ１１〜Ｆ１３などに記載を行った場合には、ここでは、これらの記載は追記部分に含まれないが、後述のように、伝票作成者による自由記載欄Ｆ１１〜Ｆ１３への記載を追記部分に含むこととされてもよい。
【００３７】
形成された伝票（記録媒体）や、入力値が登録された電子データは、担当者、監督者や検査者などの関係者に順番に回送される。電子データとして回送された場合には、回送された者がユーザーとして入力受付プログラムを起動することで、各入力フィールドＩに入力済みのデータが閲覧可能とされてもよい。この場合、伝票作成者が入力、登録したデータ自体を削除、変更することができないように表示が行われてもよい。
【００３８】
図３は、回送後の伝票の例を示す図である。回送後の伝票には、右上の余白スペースＡに回送された者によるサインＣ１が入力される。また、ここでは、自由記載欄Ｆ１１、Ｆ１３にそれぞれコメントＣ２、Ｃ３が追記されている。これらの入力や追記（これらをまとめて入力様式に対する追記部分とするが、後述のように、余白スペースＡへの入力は、追記部分から除外されてもよい）は、電子的なデータとして付加されてもよいし、画像形成された記録媒体に手書きで行われてもよい。追記部分を含む最終伝票データ（追記データ）は、記憶部１２のデータベース１２３に記憶保持される。追記が手書きで行われる場合には、その後の任意のタイミング又は予め定められた所定のタイミングで管理者などが当該記録媒体の伝票記載面をスキャナー６０で読み取らせることで、回送後の画像データが最終伝票データとして取得される。
【００３９】
処理装置１では、入力様式設定処理プログラムが起動されることで、回送の終了した伝票について、回送前後の伝票の記載内容の比較処理が行われて、回送の途中で追記された内容が抽出される。入力様式設定処理プログラムでは、抽出された内容が所定の基準を満たす場合に、当該追記内容に応じて入力項目についての追加設定が可能とされる。
【００４０】
図４は、回送前後の伝票の比較処理について説明する図である。
図４（ａ）に示すように、比較処理では、必ず定型入力される余白スペースＡ（図２、図３参照）における追記部分の検出を行わない、すなわち、比較処理において、入力内容（追記部分の一部）を追記部分の抽出対象から除外するように定めることができる。ここでは、余白スペースＡに対応する範囲にマスクＭ（検出除外部分）が設定されて、当該マスクＭでカバーされるエリア内への入力（追記）については抽出しないものとされている（第１の除外設定手段）。
【００４１】
マスクＭのエリアを除いた範囲で、伝票作成者による作成伝票のデータと、回送後の伝票のデータとを比較すると、図４（ｂ）に示すように、回送の途中で入力、追記されたコメントＣ２、Ｃ３が抽出される。また、伝票におけるこれらのコメントＣ２、Ｃ３の入力位置が特定される。追記が手書きの場合（ドローソフトやペイントソフトなどを用いた画像データへの追記編集も含む）には、入力フィールドＩの外部に追記がなされる（追記部分がある）場合もある。処理装置１は、同一の入力様式を用いて出力された伝票について、これら抽出された追記内容の表示位置を統計処理し、基準となる頻度又は割合で追記が抽出された場合には、抽出内容を特定して内容に応じた入力項目を新たな入力項目として、入力様式に対する追加設定を行う。追加設定としては、入力項目の新規追加、及び既存の入力項目への入力内容の選択肢の追加（すなわち入力項目の数自体が増えない場合もある）などが挙げられる。
【００４２】
自由記載欄Ｆ１１〜Ｆ１３にこのような追記がある場合には、追記位置に応じて当該自由記載欄Ｆ１１〜Ｆ１３の一部範囲を分割して得られる範囲（追加位置）に新たな入力項目を生成することができる。あるいは、矢印や引き出し線などでいずれかの入力項目（入力フィールド及び／又はラベル）に対応付けられていると特定された場合や、当該追記の内容に既存のラベルと同様の用語が頻出する場合には、例えば、この既存のラベルに対応する入力フィールドのプルダウンメニューにおける選択肢に追記内容として頻出する文字列を加える変更を行ったり、この既存のラベルと隣り合う位置に新たな入力項目を設けたりしてもよい。追記内容のうち一部が重複し、残りの部分が異なる場合には、これらをグループ化して当該一部の追記内容をラベルに対応させ、残りの異なる部分を各々選択肢の要素（内容）として用いることができる。追記内容が図形のみなどで、文字によるラベル付けが難しい場合には、単に専用の入力フィールドのみを作成してラベルを付さないことも可能である。コメントＣ２には、「用紙」との語が含まれており、既存の「用紙」設定との関連が想定され得る。なお、上述のマスクＭが適用される領域（設定除外部分）には、他の領域で抽出された追記部分に基づく新たな入力項目の設定が行われないように定められる（第２の除外設定手段）。
【００４３】
内容の特定では、文字データなどが電子データに含まれている場合には、当該文字をそのまま用いることができる。スキャナー６０による読み取りにより得られたビットマップ画像データや、電子データであっても追記内容がビットマップ画像データなどの場合には、例えば、ＯＣＲ（Optical Character Recognition）の文字認識ソフトウェアなどにより、画像データにおける追記内容の輪郭形状から文字や図形などを判別する周知の各種処理を行って文字列や図形などの内容を特定すればよい（画像判別手段）。
【００４４】
特定された追記内容の文言や記号などは、必ずしもそのまま用いられなくてもよい。業界用語や特定のグループ内などでのみ通用する用語については、予め対応関係を示すデータベースを作成してデータベース１２３に登録しておき、一般的な用語に変更されて用いられてもよい。同様に、略称、略字などが正式な名称や通称などに変更されて用いられてもよい。例えば、図３、図４に示したコメントＣ３における丸囲みの文字「Ｓ」が、この伝票の使用先の関連業界では一般的に“Secret”の略である場合に、「Ｓ」と“Secret”（「秘密指定」）とを対応付けたデータベースに基づいて「Ｓ」という文字を「秘密指定」などの表記に置き換えて以降の処理がなされてもよい。また、プルダウンメニューに追加するか否かを判定する場合には、追記内容を特定するだけでなく、さらに当該追記内容が既存の選択肢と並列的に選択され得る内容であるかを予め判別してもよい。
【００４５】
図５は、入力様式の追加設定の例を示す図である。
自由記載欄にコメントＣ３が追記される頻度が基準よりも高い場合に、例えば、当該右端の自由記載欄Ｆ１３を縮小して、上記追記内容に応じてラベル名が「秘密扱い」とされた入力項目Ｅ１が追加される。ここでは、選択肢としてプルダウンメニューで「設定なし」、「有」、「無」の選択が可能となっている。また、自由記載欄に表紙に用いられる用紙の設定、すなわち、用紙の色や通常部分の用紙選択とは異なる用紙などの設定に係るコメントＣ２が追記される頻度が高い場合に、例えば、左端の自由記載欄Ｆ１１を縮小して、ラベル名が「表紙」とされる入力項目Ｅ２が追加される。入力フィールドには、ここでは、選択肢は用意されず、追記部分（ここでは文字のみ）に応じたサイズ、ここでは、用紙色と用紙種別を各１行で記載可能な２行の大きさが設定される。入力フィールドの幅は、ここでは、既存の入力項目のうちラベル「用紙」と対応する幅（すなわち同程度の文字列の文字数分の大きさ）で定められている。
【００４６】
本実施形態の入力様式設定処理プログラムでは、追加設定された入力様式への変更を自動で実行せずに、追加設定された変更内容について、担当者（責任者）などによる承認を求める。責任者などの承認が得られた場合には、以降の入力受付時に用いられる入力様式が変更（更新設定）され、担当者などに変更が却下された場合には入力様式が変更されずに追加設定が破棄される。なお、ここでは、一度作成された伝票であって回送が終了していないものについては、回送の途中で担当者、監督者や検査者などにより表示がなされた場合でも、入力様式を変更しない。
【００４７】
図６は、処理装置１で実行される入力様式設定処理の制御部１１による制御手順を示すフローチャートである。
【００４８】
入力様式設定処理が開始されると、制御部１１は、新たに入力保持された回送後の最終伝票データを取得する（ステップＳ１０１）。制御部１１は、当該最終伝票データに対応する作成時（回送前）の伝票データを取得する（ステップＳ１０２）。制御部１１は、上述のマスクＭを適用した上で、回送前後（すなわち、追記される前後）の伝票データを比較し、差異を検出する（ステップＳ１０３；検出手段）制御部１１は、検出された差異のある出現箇所の特定を行う（ステップＳ１０４；位置特定手段）。出現箇所は、エリア（ブロック）単位で特定される。エリアは、例えば、入力様式２０に係る表示範囲（入力エリア）を適宜なメッシュ状に細かく（例えば、一般的にこの伝票の表示に用いられるフォントで一文字分程度のサイズなど）区分して設定されてよい。
【００４９】
制御部１１は、特定されたエリアについて、当該エリアにおける特定回数（出現頻度）に「１」を加算する（ステップＳ１０５）。制御部１１は、比較処理を行った回数に「１」を加算する（ステップＳ１０６）。
【００５０】
制御部１１は、今回新たに入力保持されている最終伝票の全てのデータを取得したか否かを判別する（ステップＳ１０７）。いまだ全ての最終伝票のデータが取得されていないと判別された場合には（ステップＳ１０７で“ＮＯ”）、制御部１１の処理は、ステップＳ１０１に戻る。
【００５１】
全ての最終伝票のデータが取得されたと判別された場合には（ステップＳ１０７で“ＹＥＳ”）、制御部１１は、計数された各エリアでの追記の特定回数と比較処理回数とにより、各エリアの差異の発生率（追記率）を算出する（ステップＳ１０８）。なお、これらの特定回数及び比較処理回数は、前回入力様式の設定が変更されてからの値が積算されたものであってもよい。
【００５２】
制御部１１は、算出された各エリアの追記率の中に所定の基準値以上のものがあるか否かを判別する（ステップＳ１０９）。ないと判別された場合には（ステップＳ１０９で“ＮＯ”）、制御部１１は、入力様式設定処理を終了する。このとき、上述のように特定回数及び比較処理回数を記憶保持させてもよい。
【００５３】
各エリアの追記率の中に所定の基準値以上のものがあると判別された場合には（ステップＳ１０９で“ＹＥＳ”）、制御部１１は、基準値以上の追記率であったエリアにおける差異の内容を取得する（ステップＳ１１０）。制御部１１は、差異として抽出された部分の文字列、記号や図形などを特定する。複数の文字列、記号や図形などの組み合わせの場合には、各々別個に複数の内容があるものとしてもよいし、全体で一つの内容としてもよい。
【００５４】
制御部１１は、各内容の出現頻度を各々算出する。制御部１１は、これらの各内容の中から出現頻度が所定の基準頻度以上のものを抽出する（ステップＳ１１１）。上述のように、内容の一部にのみ重複する表現がある場合には、同一の又は関連する内容に係る複数種類の追記であると想定して、これらの出現頻度を合計することとしてよい。
【００５５】
制御部１１は、データベース１２３を参照し、抽出された内容を検索する（ステップＳ１１２）。制御部１１は、検索の結果、データベース１２３に抽出内容自体又はこれに関連する用語やこれを包含する概念などが検出されたか否かを判別する（ステップＳ１１３）。検出されなかったと判別された場合には（ステップＳ１１３で“ＮＯ”）、制御部１１の処理は、ステップＳ１１５に移行する。検出されたと判別された場合には（ステップＳ１１３で“ＹＥＳ”）、制御部１１は、抽出された内容や検索結果に応じてより適切な用語に置き換えたり、記入欄を追加する場合のラベルを設定したりする（ステップＳ１１４）。それから、制御部１１の処理は、ステップＳ１１５に移行する。
【００５６】
ステップＳ１１３、Ｓ１１４の処理からステップＳ１１５に移行すると、制御部１１は、抽出内容に応じた選択肢を対応する入力フィールドのプルダウンメニューに追加したり、新たな入力項目を追加設定したりする（ステップＳ１１５）。これらの変更の設定データは、現在の入力様式の設定データと別個に保持される。
【００５７】
制御部１１は、入力様式の設定に係る担当者（責任者）に設定変更の承認可否を求める通知を送信する（ステップＳ１１６）。制御部１１は、承認可否の返信を待ち受ける。返信があると、制御部１１は、承認があったか否かを判別する（ステップＳ１１７）。承認があったと判別された場合には（ステップＳ１１７で“ＹＥＳ”）、制御部１１は、追加設定がなされている新たな入力様式の設定を反映して、入力受付時に用いられる入力様式（入力フォーム）を更新（更新設定）する（ステップＳ１１８）。そして、制御部１１は、入力様式設定処理を終了する。承認がなかった（却下された）と判別された場合には（ステップＳ１１７で“ＮＯ”）、制御部１１は、新たに設定された入力様式を反映させずに破棄し、入力様式設定処理を終了する。
ステップＳ１０５〜Ｓ１１５の処理は、本実施形態の入力様式設定方法に係るプログラムにおける追加設定手段（入力様式設定方法における追加設定ステップ）を構成する。
【００５８】
［変形例］
上記実施の形態における入力様式の変更は、動的になされてもよい。例えば、特定の追記内容が既存の入力項目における所定の入力内容と高い相関で追記される場合には、入力様式の表示画面において、当該既存の入力項目で所定の入力内容の入力有無に応じて入力様式を更新、変更し、当該特定の追記内容を入力可能な入力項目の表示有無を切り替えてもよい。
【００５９】
図７は、本変形例の入力様式設定処理の制御部１１による制御手順を示すフローチャートである。
この変形例の入力様式設定処理は、上記の入力様式設定処理に対してステップＳ１２１〜Ｓ１２３の処理が追加されている。その他の処理は同一であり、同一の処理内容に対しては同一の符号を付して詳しい説明を省略する。
【００６０】
ステップＳ１１５の処理の後、制御部１１は、データベース１２３を参照し、現在の入力様式を用いた入力履歴（最終伝票データ）を用いて、追加設定に係る抽出内容の追記有無と、既存の各入力項目における入力フィールドへの入力値との相関関係を算出する（ステップＳ１２１；相関算出手段）。制御部１１は、いずれかの入力値と基準以上の大きさの相関（例えば相関係数）が得られたか否かを判別する（ステップＳ１２２）。
【００６１】
いずれかの入力値との間に基準以上の大きさの相関係数が得られたと判別された場合には（ステップＳ１２２で“ＹＥＳ”）、制御部１１は、当該入力値に係る入力項目を特定入力項目として設定する。制御部１１は、当該特定入力項目への入力値に応じて、新たに設定された入力様式と従来の入力様式との間で動的に切り替えられるように設定を行う（ステップＳ１２３）。なお、この場合、制御部１１は、相関があると判別された入力値の入力の割合などに応じて、新たに設定された入力様式と従来の入力様式のいずれを初期設定の入力様式とするかを選択設定してもよい。あるいは、一律にいずれかを設定するように定められていてもよい。それから、制御部１１の処理は、ステップＳ１１６に移行する。
【００６２】
いずれの入力値との間にも基準以上の大きさの相関係数が得られなかったと判別された場合には（ステップＳ１２２で“ＮＯ”）、制御部１１の処理は、ステップＳ１１６に移行する。
【００６３】
ステップＳ１２３の処理で、従来の入力様式も併用されるように設定された場合には、ステップＳ１１８の処理において、制御部１１は、従来の入力様式を消去せずに一方を初期設定で用いられる入力様式、他方を条件付で切り替え使用される入力様式として定めて保持する。
【００６４】
図８は、動的に入力様式が変更される場合の入力受付処理の制御部１１による制御手順を示すフローチャートである。
【００６５】
入力受付処理が開始されると、制御部１１は、初期設定されている入力様式を読み込む（ステップＳ２０１）。制御部１１は、読み込まれた入力様式に応じた入力画面を表示する（ステップＳ２０２）。
【００６６】
制御部は、入力操作が受け付けられたか否かを判別する（ステップＳ２０３）。入力操作が受け付けられていないと判別された場合には（ステップＳ２０３で“ＮＯ”）、制御部１１は、ステップＳ２０３の処理を繰り返す。
【００６７】
入力操作が受け付けられたと判別された場合には（ステップＳ２０３で“ＹＥＳ”）、制御部１１は、入力内容が入力の終了操作であるか否かを判別する（ステップＳ２０４）。終了操作ではないと判別された場合には（ステップＳ２０４で“ＮＯ”）、制御部１１は、入力内容を入力項目と対応付けて記憶する（ステップＳ２０５）。この入力内容には、入力フィールドに記載を追加する入力操作だけではなく、一度入力した内容を消去する処理も含まれる。
【００６８】
制御部１１は、入力内容が特定項目であるか否かを判別する（ステップＳ２０６）。ここでいう特定項目は、上述のように、入力内容に応じて入力様式が変更される項目である。特定項目ではないと判別された場合には（ステップＳ２０６で“ＮＯ”）、制御部１１の処理は、ステップＳ２０３に戻る。
【００６９】
特定項目であると判別された場合には（ステップＳ２０６で“ＹＥＳ”）、制御部１１は、当該特定項目の入力内容に対応して表示有無が切り替えられる入力項目の表示有無を決定し、決定に応じた入力様式を選択する（ステップＳ２０７）。制御部１１は、表示する入力様式に対して入力受付済みの内容を併せて表示させるように表示を更新する（ステップＳ２０８）。なお、ステップＳ２０７の処理による表示の更新が不要（入力様式が変更されない）の場合には、ステップＳ２０８の処理は省略されてもよい。それから、制御部１１の処理は、ステップＳ２０３に戻る。
【００７０】
ステップＳ２０４の処理で、入力操作が終了操作であると判別された場合には（ステップＳ２０４で“ＹＥＳ”）、制御部１１は、必須項目が全て入力受付済みであるか否かを判別する（ステップＳ２０９）。受付済みではない必須項目があると判別された場合には（ステップＳ２０９で“ＮＯ”）、制御部１１は、エラー表示を行わせて（ステップＳ２１０）、処理をステップＳ２０３に戻す。
【００７１】
全ての必須項目が入力されたと判別された場合には（ステップＳ２０９で“ＹＥＳ”）、制御部１１は、入力内容を記憶部１２に記憶、登録させて、出力データを生成する（ステップＳ２１１）。そして、制御部１１は、入力受付処理を終了する。なお、必須項目がない場合などには、ステップＳ２０９、Ｓ２１０の処理が省略されてもよい。この場合には、制御部１１は、入力内容が一切なくても登録処理を行って入力受付処理を終了する。
【００７２】
以上のように、本実施形態の入力様式設定方法に係るプログラム１２１（入力様式設定処理プログラム）は、コンピューターである処理装置１を、予め定められる入力項目Ｅの入力フィールドＩに記入がなされる入力様式に対して追記された追記部分（入力様式のタイトル、枠及びラベル、並びに入力フィールドＩへの定型的な入力以外のコメントＣ２、Ｃ３など）に係る情報に基づいて、入力様式２０に対して入力項目Ｅについての追加設定を行う追加設定手段（ステップＳ１０５〜Ｓ１１５の各処理）として機能させる。
このように、定型的な記載以外の追記部分に基づいて、新たな入力項目を追加したり、入力フィールドへの入力値の選択肢を新たに追加したりすることができるので、単に予め定められた入力項目の表示有無や表示位置の変更などによるカスタマイズに留まらず、より柔軟にユーザーの入力傾向に対応して、入力の利便性を向上させることができる。
【００７３】
また、このプログラム１２１は、処理装置１を、追記部分が追記される前後のデータ（すなわち、ここでは、作成時の伝票データと最終伝票データ）を比較して差異を検出する検出手段（ステップＳ１０３の処理）として機能させる。すなわち、入力様式２０を用いて作成された当初の記入データ（記入なしを含む）と、その後の回送により追記されたデータとの差分を取ることで、当初の作成者本人だけではなく、入力様式２０を用いて作成された伝票の利用者全体の利用に対応したより利便性の高い入力様式に変更設定することができる。
【００７４】
また、このプログラム１２１は、処理装置１を、検出手段により検出された差異の出現箇所を特定する位置特定手段として機能させ、追加設定手段は、入力様式により定まる入力エリアを複数に区分した各ブロックでの差異の出現頻度を取得し、当該出現頻度に基づいて（すなわち出現頻度自体が用いられても出現頻度を用いて求められる追記率などが用いられてもよい）追加設定を行うか否かを決定する。
伝票が用いられる現場では、しばしば同様の場所に同様のコメントがなされることが多い。したがって、頻出するコメントに応じた入力項目に係る追加設定を行うことでより適切な入力項目に変更され得るので、各ユーザーの利便性を向上させることができる。
【００７５】
また、このプログラム１２１では、追加設定手段は、出現頻度に応じて入力フィールドの追加位置を定める。
このように、コメントが頻出する箇所に新たな入力項目に係る追加設定を行うことで、当該コメントを行うユーザー及び当該コメントを利用するユーザーにとって負担とならないような利便性の高い入力様式２０の設定変更を行うことができる。
【００７６】
また、このプログラム１２１では、追加設定手段は、追記部分の大きさに応じたサイズの入力フィールドを追加する。すなわち、多くの場合に追記されるコメントに応じたサイズの入力フィールドに対し、記入者は無理なく記入が可能であり、また、必要以上に従来の入力項目の入力フィールドを圧縮したりしない。
【００７７】
また、このプログラム１２１では、追加設定手段は、追記部分の内容に応じて追加される入力フィールドを含む入力項目のラベルを定める。すなわち、入力内容に応じて適切なラベルを設定することで、新たに追加設定された入力フィールドが当該追加設定に係る従来の追記内容に対応するエリアであることを容易に伝票の利用者に知得させることができる。
【００７８】
また、このプログラム１２１では、追加設定手段は、追記部分の内容が文字のみである場合に、入力フィールドの行幅を当該文字の数に応じて定める。すなわち、文字の入力であれば図形や記号などの入力と比較して容易に適正なサイズを規定することができる。特に、電子的に文字列が入力されるような場合には、従来の入力フィールドＩへの入力フォントと概ね同等のサイズのフォントが用いられればよいので、不必要に入力フィールドＩのサイズを大きくし過ぎたり、サイズが小さ過ぎたりという心配なく、適切に入力及び入力内容の確認、利用が可能となる。
【００７９】
また、このプログラム１２１では、追加設定手段は、追記部分の内容を示す文字列の文字数に応じて入力フィールドのサイズを決定する。さらに、入力文字数が概ね定まっているような場合には、行幅だけではなく文字数に応じた入力フィールドＩの幅が定められてよい。よって、変更された入力様式２０により、伝票の各利用者がより容易かつ適切に入力及び入力内容の利用が可能となる。
【００８０】
また、このプログラム１２１では、追加設定は、既存の入力フィールドに対する入力内容の選択肢の追加を含み、追加設定手段は、追記部分の内容に応じて追加される選択肢の内容を定める。すなわち、このプログラム１２１は、単純に入力フィールドを増やすだけでなく、既存の入力項目の拡張にも用いることができる。したがって、より柔軟にユーザーにとって利便性の高い入力様式２０を設定することができる。
【００８１】
また、このプログラム１２１では、追加設定手段は、入力様式の用途に応じた分野に係る用語リストに基づいて追記部分の内容をグループ化して、一つのグループに対して複数の内容が対応付けられた場合に、当該複数の内容を選択肢に含む新たな入力項目を追加設定する。
すなわち、予めデータベース１２３を保持して用語リストを保持しておくことで、追記内容同士や、各追記内容と既存の入力項目との対応関係を容易に把握することができ、より柔軟かつ適切に追記内容をグループ化して適切な入力項目に係る設定を行うことができる。
【００８２】
また、プログラム１２１は、処理装置１を、追記部分が追記される前後のデータを比較して差異を検出する検出手段、追記データの画像データから検出された差異の内容を判別する画像判別手段、として機能させる。すなわち、追記内容がテキストデータなどの容易に内容を把握することができるものではなくても、ビットマップ画像データなどから差異を検出してその内容を特定することができる。よって、紙媒体として出力、回送されるような伝票であっても、容易に上記の各処理を行って、より適切な入力様式２０に変更する設定を行うことができる。
【００８３】
また、プログラム１２１は、処理装置１を、入力様式２０により定まる入力エリアから、追記部分の検出を行わないマスクＭを設定する第１の除外設定手段として機能させる。すなわち、検出印やサインなど、予め追記されることが明らかな追記内容については、上記の入力様式２０の変更に係る設定処理から除外することができるので、不要な処理を低減させることができる。
【００８４】
また、プログラム１２１は、処理装置１を、入力様式２０により定まる入力エリアから、追加設定を行わないマスクＭを設定する第２の除外設定手段として機能させる。すなわち、上記検出印やサインなどが追記されることが明らかな領域に他の追記内容に基づく入力項目を追加しないことで、検出印やサインを行う場所がなくなるといった不要なトラブルを生じさせない。
【００８５】
また、プログラム１２１は、処理装置１を、追記部分の内容と既存の入力項目への入力内容との相関関係を算出する相関算出手段（ステップＳ１２１）として機能させ、追加設定手段は、入力様式２０に対する入力を電子的に受け付ける場合に、追記部分に対して所定の基準以上の相関が得られた入力内容の入力有無に応じて追記部分に応じた追加設定の有無を切り替えるように入力様式２０を設定する。
すなわち、追加対象となる位置や内容の追記が既存の入力項目における特定の入力内容と相関を有する場合に、当該相関を有する入力内容に応じて入力項目に係る追加表示を行わせるか否かを切り替えることができる。これにより、特定の入力内容に応じて追記が想定されないときにまで新たな入力項目を増やさないことで、ユーザーに不要な手間を生じさせず、利便性を向上させることができる。
【００８６】
また、本実施形態の入力様式設定方法は、予め定められる入力項目の入力フィールドに記入がなされる入力様式に対して追記された追記部分に係る情報に基づいて、入力様式に対して新たな入力項目についての追加設定を行う追加設定ステップ、を含む。
このように、追記部分に基づいて、新たな入力項目を追加したり、入力フィールドへの入力値の選択肢を新たに追加したりすることができるので、単に予め定められた入力項目の表示有無や表示位置の変更などによるカスタマイズに留まらず、より柔軟にユーザーの入力傾向に対応して、入力の利便性を向上させることができる。
【００８７】
なお、本発明は、上記実施の形態に限られるものではなく、様々な変更が可能である。
例えば、回送途中での伝票の作成者以外による追記を抽出するものとして説明したが、伝票の作成者が伝票の利用中に書き込んだ事項などについても同様に入力項目に係る追加設定の対象とされてよい。更には、自由記載欄Ｆ１１〜Ｆ１３に記載された内容は、記載タイミングや記入者などによらず全て追記内容と判断してもよい。すなわち、当初の伝票の作成後（未入力での登録を含む）だけではなく、伝票の作成者が伝票作成と同時に行った自由記載欄Ｆ１１〜Ｆ１３への注記や補足内容なども、入力様式に対する追記部分に含まれる。この場合には、伝票作成時のデータと最終伝票データとを比較して差異をとる必要はない。
【００８８】
また、自由記載欄Ｆ１１〜Ｆ１３及び入力フィールドＩのそれぞれ内部への記入に限られない手書き入力などの場合に、入力様式に対し、固定の入力フィールドＩの外部に記載されたものを全て追記部分として抽出してよい。この場合も、伝票作成時のデータと最終伝票データとを比較する必要はない。あるいは、入力項目の枠やラベルなどを含む入力様式の設定データに対して差分をとってもよい。このとき、入力フィールドＩの内部に対し、全てマスクＭ（検出除外部分）を設定して、入力フィールドＩへの入力値を抽出しないようにしもよい。あるいは、入力フィールドＩに追記部分の一部が被る場合を考慮して、入力フィールドＩへの入力値にプルダウンメニューなどにより選択肢が定められている場合には、当該選択肢と一致する内容を除外した残りを追記部分としてもよい。また、選択肢がない場合には、入力フィールドＩから一部でもはみ出している記載を追記部分としたり、入力内容を解読してグループ分けし、各グループの所定の中心位置が入力フィールドＩの内部にあるか否かにより追記部分か否かをそれぞれ判別したりしてもよい。最終伝票データがタグなどを用いた構造化文書の場合には、タグの種別や配置などに基づいて判別を行ってもよい。
【００８９】
また、上記実施の形態では、入力エリアごとに追記の頻度を判断したが、入力エリアにかかわらず入力内容を特定し、当該内容の出現頻度に基づいて入力項目に係る追加設定がなされてもよい。
【００９０】
また、上記実施の形態では、追記前後のデータを比較することで差異を検出したが、追記内容に更新タイミングの情報が付加されて、伝票の当初作成タイミングと異なるタイミングで追加された内容を追記部分として抽出することとしてもよい。
【００９１】
また、上記実施の形態では、追加する入力項目（入力フィールド）の位置は、当該追加に係る追記部分の位置とは関係なく、既存の入力項目の配置に対して最適化されるように設定されてもよい。
【００９２】
また、上記実施の形態では、追記データの記載文字数などに応じて入力フィールドのサイズが定められたが、実際に追記された文字数から想定され得る他の入力内容が当該文字数よりも多い場合などには、より広い範囲が設定されるように判断がなされてもよい。
【００９３】
また、上記実施の形態では、用語リストを処理装置１内のデータベース１２３に保持しているものとして説明したが、クラウドサーバーなど外部のデータを参照することとしてもよい。
【００９４】
また、上記実施の形態では、記録媒体に出力された伝票を再度スキャナー６０で読み込む場合があるものとして説明したが、全て電子データとして処理されることが想定される場合には、読み取りデータに特有の追記部分の検出処理や内容の特定処理を省略することとしてもよい。
【００９５】
また、上記実施の形態では、入力様式２０の配置に応じた伝票が出力されるものとして説明したが、全て電子データにより処理がなされる場合には、表示画面のサイズやアスペクト比などに応じて表示位置が変更され得るものであってもよい。この場合でも、処理装置１における基準となる表示位置に基づいて検出や追加設定が行われてもよい。
【００９６】
また、上記実施の形態では、プログラム１２１を実行することでソフトウェア的に入力様式設定処理が実行されることとしたが、処理の一部又は全部が専用のハードウェアなどにより行われる場合を除外するものではない。また、画像処理などの一部の処理が外部の処理装置などにより行われるものであってもよい。
【００９７】
また、上記実施の形態では、伝票の作成及び回送を例として説明したが、これに限られない。その他の各種書類又はページ入力データなどが対象とされてよい。これらは、回送されないものであってもよく、すなわち、単一ユーザー又は共用ユーザーによる定型的な入力以外の記載を考慮して、新たな入力項目を追加するものであってもよい。
【００９８】
また、以上の説明では、本発明の入力様式設定処理に係るプログラム１２１を記憶するコンピューター読み取り可能な媒体として不揮発性メモリーやＨＤＤ（Hard Disk Drive）などを有する記憶部１２を例に挙げて説明したが、これに限定されない。その他のコンピューター読み取り可能な媒体として、ＣＤ−ＲＯＭやＤＶＤディスクなどの可搬型記録媒体を適用することが可能である。また、本発明に係るプログラムのデータを通信回線を介して提供する媒体として、キャリアウェーブ（搬送波）も本発明に適用される。
その他、上記実施の形態で示した構成、処理内容及び処理手順などの具体的な細部は、本発明の趣旨を逸脱しない範囲において適宜変更可能である。
【符号の説明】
【００９９】
１     処理装置
１１   制御部
１２   記憶部
１２１ プログラム
１２２ 入力様式データ
１２３ データベース
１３   通信部
１４   操作受付部
１５   表示部
２０   入力様式
６０   スキャナー
７０   外部端末
８０   画像形成装置
Ａ     余白スペース
Ｃ１   サイン
Ｃ２、Ｃ３    コメント
Ｅ、Ｅ１、Ｅ２       入力項目
Ｆ１１〜Ｆ１３       自由記載欄
Ｉ     入力フィールド
Ｌ     ラベル欄
Ｍ     マスク
【図１】
2020095473.tif 000003
【図２】
2020095473.tif 000004
【図３】
2020095473.tif 000005
【図４】
2020095473.tif 000006
【図５】
2020095473.tif 000007
【図６】
2020095473.tif 000008
【図７】
2020095473.tif 000009
【図８】
2020095473.tif 000010